(57)【要約】【課題】所定の強度が保持されるばかりでなく、透水性に優れ降雨時における地盤の側縁部位の既成地盤の沈下も解消される地盤構造を提供する。【解決手段】無数の路盤材を堆積して成形される透水性の基盤層３と、前記基盤層３中に水平面内に位置しかつそれぞれ一定の間隔離して並置される複数のコンクリートブロック２と、前記基盤層３の上面に敷設される透水性の表面層４とからなる。前記コンクリートブロック２内には廃棄物Ａ，Ｂが封入されていることが好ましい。【選択図】図１
2005068938.tif 000002
【特許請求の範囲】
【請求項１】
無数の路盤材を堆積して成形される透水性の基盤層と、前記基盤層中に水平面内に位置しかつそれぞれ一定の間隔離して並置される複数のコンクリートブロックと、前記基盤層の上面に敷設される透水性の表面層とからなることを特徴とする地盤構造。
【請求項２】
前記コンクリートブロック内には廃棄物を封入してなる請求項１記載の地盤構造。
【発明の詳細な説明】
【技術分野】
【０００１】
本発明は、道路、テニスコートまたは運動競技場の各種グランド等の地盤であって透水性に優れた地盤構造に関するものである。
【背景技術】
【０００２】
従来、例えばアスファルト道路は、まず掘削装置により既成地盤を道路の幅に合わせた所定幅および所定の深さ（例えば２ｍ）に亘り掘削すると共にその中に一定量のセメントミルクを注入して攪拌し、固化させることにより既成地盤中に道路幅と同じ幅の構築物を構築している。そして、前記構築物の上面に砂や砂利及び大粒・小粒の砕石を敷くと共に加熱アスファルトを敷く所謂アスファルト舗装を行っている（特許文献１参照。）。
【特許文献１】特開平６−１０８４５３号公報（第２−３頁）
【発明の開示】
【発明が解決しようとする課題】
【０００３】
しかしながら、前記特許文献１記載のアスファルト道路では、仮に、表面層のアスファルト層に透水性が有るとしても、その下層の構築物はセメントミルクを注入して構築されしかも高さが２ｍもある関係上、透水性がほとんどない。このため、降雨時にアスファルト層に沁み込んだ雨水は前記構築物の上面で止められてほとんど道路の両側縁側へ流れ、その両側縁側に水が溜まるなどしてその部位にぬかるみができるばかりでなく、既成地盤の沈下を来し段差を生じてしまうといった課題が有る。
【０００４】
そこで、本発明は上記課題を解決すべくなされたもので、所定の強度が保持されるばかりでなく、透水性に優れ降雨時における地盤の側縁部位の既成地盤の沈下も解消される地盤構造を提供することを目的とするものである。
【課題を解決するための手段】
【０００５】
かかる目的を達成するため、本発明に係る地盤構造は無数の路盤材を堆積して成形される透水性の基盤層と、前記基盤層中に水平面内に位置しかつそれぞれ一定の間隔離して並置される複数のコンクリートブロックと、前記基盤層の上面に敷設される透水性の表面層とからなる。コンクリートブロックは立方体または直方体形状に成形することが好ましい。
【０００６】
また、前記コンクリートブロック内には廃棄物を封入することが好ましい。
【発明の効果】
【０００７】
本発明は、透水性の基盤層中に水平面内に位置しかつそれぞれ所定の間隔離して複数のコンクリートブロックを並置するようにしたので、降雨時に表面層から沁み込んだ雨水が基盤層内に沁み込み、更に、各コンクリートブロック間を通過して下方へ排出されることとなる。よって、地盤の側縁部位に水が溜まることがなくその部位の既成地盤の沈下も防止されるという効果がある。
【０００８】
また、コンクリートブロック内に廃棄物を封入するようにすれば、廃棄物を封入したコンクリートブロックが再利用できることになり、廃棄物の処分と共に利用が同時にでき極めて有益であるという効果がある。
【発明を実施するための最良の形態】
【０００９】
以下、本発明に係る地盤構造の実施の形態を図面に基き説明する。本実施の形態ではアスファルト道路について説明する。図１はアスファルト道路の縦断面図、図２は同一部の平面断面図である。図中１は既成地盤である。そこで、施工方法について説明すると、道路Ｒの横幅いっぱいであってしかも所定の長さの区画に亘り既成地盤１を深さ約２ｍ程度掘削して底面をほぼ平坦な水平面にする。そして、その上面にコンクリートブロック２を道路Ｒの幅方向に四個、長さ方向に七個それぞれ前後左右に所定の間隔（３０〜４０ｃｍ）離して並置する。これらコンクリートブロック２は、図３に示すように縦１５０ｃｍ、横１２０ｃｍ、高さ１２０ｃｍの直方体からなる。
【００１０】
次に、各コンクリートブロック２の上に無数の路盤材を堆積させて基盤層３を成形する。路盤材としては、例えば解体したビルの壁等のコンクリートを紛削して細かく砕いたもの、またはバラス等の砂利が使用され、基盤層３は透水性を有する。そして、基盤層３の上面にアスファルト舗装をして表面層４を成形する。アスファルト舗装は、砂や砂利からなる路床上面に大きな粒の砕石を敷くと共にその上面に小さな粒の砕石を敷き、更にその上面に加熱アスファルトを敷いて行われる。この表面層４も透水性を有する。また、道路Ｒの両側縁には道路Ｒの端縁に沿って側溝５が設けられる。このようにして所定の長さの一区画の施工が終了すると、次の区画の施工を行い順次進めて道路Ｒが完成される。前記のように路盤材としてビルの壁等のコンクリートを紛削して細かく砕いたものを使用すれば、本来廃棄するものを再利用することになるから、廃棄処分する手間が省け有益である。
【００１１】
本発明は、透水性の基盤層３中の水平面内に所定の間隔離して直方体形状を有する複数のコンクリートブロック２を前後左右に並置するようにしたので、降雨時にはアスファルトの表面層４から沁み込んだ雨水は基盤層３内に沁み込み、更に、各コンクリートブロック２，２間を通過して下方へ排出される。これにより、道路Ｒの側縁部位に水が溜まるようなことがなくなる。
【００１２】
前記コンクリートブロック２は総てセメントで固めて成形するようにしても良いが、本発明では内部に廃棄物が封入してある。
【００１３】
次に、前記コンクリートブロック２の成形方法を説明する。図４（イ）に示すように上面が開口する廃棄物型枠６内に同じく上面が開口する金網篭７が配置され、更にその中に上面が開口する強靭な合成樹脂製袋８が配置されている。また、廃棄物型枠６の上方にホッパー９が設置される。そして、選別された廃棄物、すなわち溶融させ固化したチップ状の廃プラスチック類Ａと高速乾燥処理した汚泥・ダスト類及びその他の廃棄物Ｂを前記ホッパー９内に投入する。これにより合成樹脂製袋８内に前記廃棄物Ａ，Ｂが充填される。次に、同図（ロ）に示すように合成樹脂製袋８内に廃棄物Ａ，Ｂを充填しつつ上方からプレスシリンダー１０により圧縮する。一杯になったら、同図（ハ）に示すように脱枠してホイスト１１により金網篭７を吊り上げ同図（ニ）に示すように養生させる。
【００１４】
次に、同図（ホ）に示すように前記合成樹脂製袋８を密封すると共に内部の空気を抜きその内部をほぼ真空状態にする。更に、同図（ヘ）（ト）に示すように金網篭７の上面を同質の金網で閉めると共に該金網篭７をホイスト１１で吊り上げ、上面が開口するコンクリート型枠１２内に配置する。そして、コンクリート型枠１２内にセメントに砂・砂利・スチールファイバーを混入したコンクリートｃを流し込む。更に、同図（チ）に示すようにコンクリート型枠１２の上面開口に蓋１３をし、その上面からシリンダー１４により圧縮し大きさを均整する。次に、同図（リ）に示すようにコンクリート型枠１２の外周を密閉状に囲い蒸気養生させる。更に、同図（ヌ）に示すように脱枠し、最後に同図（ル）（ヲ）に示すように自然養生してコンクリートブロック２が完成する。
【００１５】
このようにして成形されたコンクリートブロック２は、内部の廃棄物Ａ，Ｂが安定化し、しかも、コンクリートｃの繋ぎ目が無いので内部からガス・汚水の浸出する恐れがない。更に、コンクリートが耐久性・衝撃性に優れ半永久的な安全保存が可能である。これにより、廃棄物Ａ，Ｂを封入したコンクリートブロック２が再利用できることになり、廃棄物Ａ，Ｂの処分と共に利用が同時にできることになる。
【００１６】
図５は他の実施の形態に係るものであり、テニスコートＴの地盤構造を示すものである。この場合も、既成地盤１中に基盤層３が成形されると共に該基盤層３内に水平面上に位置して複数のコンクリートブロック２が前後左右に所定間隔離して並置されている。また、基盤層３の上面に敷設される表面層４ａは、例えばハードコートの場合、基盤層３の上面に砕石やクラッシャーランからなる路盤層１５を敷設し、更にその上面に樹脂コートしたアスファルトコンクリート１６を敷設して構成されている。この表面層４も透水性を有する。
【００１７】
この場合も、透水性の基盤層３中の水平面内に所定の間隔離して直方体形状を有する複数のコンクリートブロック２を前後左右に並置してなることから、降雨時には表面層４ａから沁み込んだ雨水は基盤層３内に沁み込む。更に、各コンクリートブロック２，２間を通過して下方へ排出される。これにより、テニスコートＴの側縁部位に水が溜まるようなことがない。
なお、本発明の地盤構造は、基盤層３内に複数のコンクリートブロックを所定間隔離して配置してなるので、地震の際の所謂地盤の流動化現象も起こりにくく安全である。また、前記各実施の形態に限らず、運動競技場の各種グランド、飛行場等他の地盤構造にも適用できること勿論である。
【図面の簡単な説明】
【００１８】
【図１】アスファルト道路の縦断面図。
【図２】同一部の平面断面図。
【図３】コンクリートブロックの斜視図。
【図４】コンクリートブロックの成形工程を示す説明図。
【図５】テニスコートの一部の縦断面図。
【符号の説明】
【００１９】
２    コンクリートブロック
３    基盤層
４    表面層
Ａ    廃棄物（廃プラスチック類）
Ｂ    廃棄物（汚泥類、その他の廃棄物）
【図１】
2005068938.tif 000003
【図２】
2005068938.tif 000004
【図３】
2005068938.tif 000005
【図４】
2005068938.tif 000006
【図５】
2005068938.tif 000007